(57)【特許請求の範囲】
【請求項１】
印字後の記録媒体を排紙トレイへ案内、搬送する排紙機構を備えるインクジェットプリンタにおいて、
前記排紙機構は、幅方向長さの異なる複数種類の記録媒体の各々に対して、幅方向一端部を基準位置に当接された状態で搬送される記録媒体の幅方向中間部の高さ位置より幅方向両端部の高さ位置が高くなるようにして案内するように幅方向に並設された複数の案内湾曲部材を有する
ことを特徴とするインクジェットプリンタ。
【請求項２】
請求項１記載のインクジェットプリンタにおいて、
該複数の案内湾曲部材には、各記録媒体の幅方向一端部の近傍に接触する案内湾曲部材と許容最大記録媒体の幅方向中間部に接触する案内湾曲部材との間に、前記許容最大記録媒体の幅方向中間部に接触する案内湾曲部材の高さと同じか若しくはそれより低い高さの案内湾曲部材が配置されている
ことを特徴とするインクジェットプリンタ。
【請求項３】
請求項１記載のインクジェットプリンタにおいて、
該複数の案内湾曲部材には、各記録媒体の幅方向一端部の近傍に接触する案内湾曲部材と許容最大記録媒体の幅方向中間部に接触する案内湾曲部材との間に、許容最大記録媒体の搬送時には、許容最大記録媒体に接触せず、幅方向長さの異なる複数種類の記録媒体のうちの許容最大記録媒体以外の所定の記録媒体の幅方向中間部に接触する案内湾曲部材が配置されている
ことを特徴とするインクジェットプリンタ。
【請求項４】
請求項１乃至３いずれかに記載のインクジェットプリンタにおいて、
前記複数の案内湾曲部材は、幅方向一端部を基準位置に当接された状態で搬送される許容最大記録媒体の幅方向中心と幅方向両端部との間に各々５個ずつ配置された計１０個の案内湾曲部材によって形成され、
前記各記録媒体の幅方向一端部の近傍に接触する案内湾曲部材は最も基準位置側寄りの案内湾曲部材であり、前記許容最大記録媒体の幅方向中間部に接触する案内湾曲部材は許容最大記録媒体の幅方向中心を挟んで互いに隣り合う２つの案内湾曲部材であり、前記許容最大記録媒体の幅方向中間部に接触する案内湾曲部材の高さと同じか若しくはそれより低い高さの案内湾曲部材は、前記最も基準位置側寄りの案内湾曲部材と前記最大記録媒体の幅方向中心を挟んで互いに隣り合う２つの案内湾曲部材との間の中央の案内湾曲部材である
ことを特徴とするインクジェットプリンタ。
【請求項５】
請求項１乃至３いずれかに記載のインクジェットプリンタにおいて、
前記複数の案内湾曲部材は、幅方向一端部を基準位置に当接された状態で搬送される許容最大記録媒体の幅方向中心と幅方向両端部との間に各々５個ずつ配置された計１０個の案内湾曲部材によって形成され、
幅方向長さの異なる複数種類の記録媒体のうちの、許容最大記録媒体以外の記録媒体の基準位置と遠い側の端部に接触する案内湾曲部材は、許容最大記録媒体の幅方向中心からそれぞれ両側に２個目の案内湾曲部材である
ことを特徴とするインクジェットプリンタ。
【請求項６】
印字後の記録媒体を排紙トレイへ案内、搬送する排紙機構を備えるインクジェットプリンタにおいて、
前記排紙機構は、幅方向長さの異なる複数種類の記録媒体の各々に対して、複数種類の記録媒体の各々の幅方向にかかる搬送力が略同一になるように配置された複数の搬送ローラを有し、該複数の搬送ローラは、許容最大記録媒体の幅方向中心に対して基準位置側に２個、その反対側に１個配置されている
ことを特徴とするインクジェットプリンタ
【請求項７】
印字後の記録媒体を排紙トレイへ案内、搬送する排紙機構を備えるインクジェットプリンタにおいて、
前記排紙機構は、複数種類の記録媒体の幅方向長さの各々に対応して設けられ、前記記録媒体が所定の搬送方向に対して斜行することを防ぐように搬送する複数の搬送部材と、前記複数の搬送部材の搬送方向下流側に設けられ、幅方向長さの異なる複数種類の記録媒体の各々に対して、搬送される記録媒体の幅方向中間部の高さ位置を幅方向端部の高さ位置より低くして案内する複数の案内湾曲部材とを有することを特徴とするインクジェットプリンタ。
【請求項８】
請求項７記載のインクジェットプリンタにおいて、前記複数の案内湾曲部材のうち、記録媒体の基準位置と当接する側の端部と反対側の端部近傍に接触する案内湾曲部材は、当該案内湾曲部材と記録媒体の高さ位置が最も低い位置との間に存在する案内湾曲部材の中で高さが最大であることを特徴とするインクジェットプリンタ。
【請求項９】
請求項８記載のインクジェットプリンタにおいて、前記複数の案内湾曲部材は許容最大記録媒体幅の中心と記録媒体の幅方向両端部との間に各々５本設けられたリブからなり、記録媒体の前記基準位置と遠い側の端部に接触する案内湾曲部材は、前記中心から幅方向端部方向へ２個目のリブ又は前記基準位置から最も遠くに位置するリブであることを特徴とするインクジェットプリンタ。
【請求項１０】
請求項７，８，又は９記載のインクジェットプリンタにおいて、前記複数の搬送部材は、前記複数種類の記録媒体の各々の幅方向にかかる搬送が略同一になるように配置されていることを特徴とするインクジェットプリンタ。
【請求項１１】
請求項７，８，又は９記載のインクジェットプリンタにおいて、前記複数の搬送部材は、許容最大記録媒体幅の中心に対して基準位置側に２個、その反対側に１個設けられた搬送ローラからなることを特徴とするインクジェットプリンタ。
【発明の詳細な説明】
【０００１】
【発明の属する技術分野】
本発明は、インクジェットプリンタに関し、特にペーパーガイド付きの排紙機構を備えるインクジェットプリンタに関する。
【０００２】
【従来の技術】
インクジェットプリンタにおける記録媒体（例えば、印刷用紙）の排紙方法として、印字性能向上のために記録媒体を搬送方向に垂直な方向（即ち、主走査方向）に湾曲させて、記録媒体の後端が排紙ローラとスターローラによる狭持を解除されたとき、記録媒体が排紙トレイに積み重ねられるようにしたものがある。このように記録媒体を湾曲させて先端の垂れ下がりを防ぐことことを、本明細書では「腰付け」という。腰付けを行うことによって、排紙トレイの一番上に積み重ねられ且つインクが未乾燥の記録媒体上を、搬送される記録媒体の先端部が摺動しながら搬送・積み重ねられることが無く、記録媒体が搬送されている間に排紙トレイの一番上に積み重ねられた記録媒体上のインクも乾燥するので、所望の印字性能を得ることができる。
【０００３】
この腰付けを行うための構成として、図４に示す排紙部ペーパーガイドがある。排紙部ペーパーガイド５０には、幅方向に並んだ複数のリブ５１〜５８が設けられている。複数のリブ５１〜５８のそれぞれの高さは、図中に実線で示した許容最大サイズの記録媒体ａが搬送されるとき、ペーパーガイド５０の中心線を中心にして記録媒体ａを凹状に湾曲させるように設定されている。即ち、ペーパーガイド５０の中心線を対称中心にしてそこから両側に向かって徐々にリブの高さが高くなるように形成されている。
【０００４】
このペーパーガイドによると、最大サイズの記録媒体ａが搬送されるときには、記録媒体の搬送方向に垂直な方向で主走査方向に沿う方向（以下、幅方向という）の一端部が基準壁５９に突き当てられて正しく腰付けが行われる。そして記録媒体ａは、搬送中は排紙トレイに積み重ねられた記録媒体に接触することなく、排紙ローラとスターローラによる記録媒体ａの後端部の狭持が解除されたとき排紙トレイに積み重ねられる。
【０００５】
また、排紙ペーパーガイドの複数のリブの搬送路上流側には、スターローラと協働して記録媒体を搬送する搬送ローラが設けられている。搬送ローラは、幅方向に沿って複数、等間隔で配置されている。許容最大サイズの記録媒体ａが排紙されるときは、記録媒体の幅方向中心に対して右側と左側の部分にかかる搬送力が同じであるため、所望の搬送方向に搬送され、排紙トレイの適切な位置に積み重ねられる。
【０００６】
【発明が解決しようとする課題】
図４に示した従来の排紙部ペーパーガイドは、印刷される記録媒体が最大サイズと異なる寸法（図中、一点差線で示した記録媒体ｂ又は二点差線で示した記録媒体ｃ）のものである場合、記録媒体の幅方向一端部を基準壁５９に突き当てて搬送すると、各々の記録媒体の幅方向中心がペーパーガイドの中心線からずれた位置に存在する。従って、記録媒体の幅方向中間部の高さ位置が基準壁５９に突き当たっている一端部と他端部の高さ位置の間の位置になるので腰付けが不完全となり先端部が垂れ下がる。その結果、排紙トレイの一番上に積み重ねられ且つインクが未乾燥の記録媒体上を、搬送される記録媒体の先端部が摺動しながら搬送・積み重ねられる。
【０００７】
また、排紙ペーパーガイドの複数のリブの搬送路上流側に設けられた従来の搬送ローラでは、印刷される記録媒体が最大サイズと異なる寸法（図中、一点差線で示した記録媒体ｂ又は二点差線で示した記録媒体ｃ）のものである場合、記録媒体の幅方向一端部を基準壁５９に突き当てて搬送すると、記録媒体の幅方向中心に対して右側と左側とで記録媒体にかかる搬送力がアンバランスになり、記録媒体の搬送方向が所望の搬送方向に対してある角度を有して搬送されるスキュー（斜行）が発生する。スキューが発生すると、記録媒体は排紙トレイ上の正しい位置に積み重ねられなかったり、基準壁に押しつけられて紙づまりの原因となったり、腰付けが不完全となって上記不都合が生じたりする。
【０００８】
本発明は、このような従来技術の問題点に鑑みてなされたものであり、複数種類のサイズの記録媒体に適切な腰付けを行うことができ、スキューが生じずに正しい位置に記録媒体が積み重ねられるインクジェットプリンタを提供することを目的とする。
【０００９】
【課題を解決するための手段】
前記目的を達成するため、本発明によるインクジェットプリンタは、印字後の記録媒体を排紙トレイへ案内、搬送する排紙機構を備えるインクジェットプリンタにおいて、排紙機構は、幅方向長さの異なる複数種類の記録媒体の各々に対して、幅方向一端部を基準位置に当接された状態で搬送される記録媒体の幅方向中間部の高さ位置より幅方向両端部の高さ位置が高くなるようにして案内するように幅方向に並設された複数の案内湾曲部材を有することを特徴とする。
上記構成とすることで、いかなる幅方向寸法の記録媒体であっても、記録媒体は幅方向に湾曲され、腰付けが行われる。
【００１０】
複数の案内湾曲部材のうち、記録媒体の基準位置に当接する端部の近傍に接触する案内湾曲部材は最大高さを有し、記録部材の前記端部と反対側の端部の近傍に接触する案内湾曲部材は、記録媒体の高さ位置が最も低い位置との間に存在する案内湾曲部材の中で最大高さを有するものとすることができる。
【００１１】
基準位置は、記録部材を搬送するときの基準となる位置である。上記構成とすることにより、記録部材の幅方向両端部近傍をその中間の所定の位置に対して上方に持ち上げた状態とすることができるので、記録媒体を下方へ凸となるように湾曲して腰付けを行うことができる。
複数の案内湾曲部材のうち記録媒体の基準位置と反対側端部近傍に接触する案内湾曲部材は隣接する案内湾曲部材より高い。
【００１２】
記録媒体の基準位置と反対側端部近傍に接触する案内湾曲部材を、隣接する案内湾曲部材より高さが高くなるように設けることにより、記録媒体の他端部が上方へ湾曲され、腰付けが行われる。
複数の案内湾曲部材をリブで構成すると、簡単な構成で記録媒体を湾曲させて腰付けを行うことができる。また、複数のリブを、許容最大記録媒体幅の中心に対して対称に配置すると共に、対称位置関係にあるリブを同じ高さとしてもよい。
【００１３】
複数の案内湾曲部材は許容最大記録媒体幅の中心と記録媒体の幅方向両端部との間に各々５個の案内湾曲部材を有し、記録媒体の基準位置と遠い側の端部に接触する案内湾曲部材は、前記中心から幅方向端部方向へ２個目の案内湾曲部材又は前記基準位置から最も遠くに位置する案内湾曲部材とすることができる。
この構成によって、少なくともＡ４サイズ、Ｂ５サイズ、はがきサイズの３種類の記録媒体に対して湾曲が行われ、腰付けが行われる。
【００１４】
記録媒体を排紙トレイへ案内、搬送する排紙機構は、複数種類の記録媒体の幅方向長さの各々に対応して設けられ、記録媒体が所定の搬送方向に対して斜行することを防ぐように搬送する、複数の搬送部材を有するのが好ましい。記録媒体が所定の搬送方向に対して斜行することを防ぐように搬送されるので、排紙トレイの適切な位置に積み重ねられる。
【００１５】
本発明によるインクジェットプリンタは、また、印字後の記録媒体を排紙トレイへ案内、搬送する排紙機構を備えるインクジェットプリンタにおいて、排紙機構は、複数種類の記録媒体の幅方向長さの各々に対応して、複数種類の記録媒体の各々の幅方向にかかる搬送力が略同一になるように配置された複数の搬送部材を有することを特徴とする。
【００１６】
記録媒体の幅方向にかかる搬送力が略同一であるため、記録媒体は所定の搬送方向に対して斜行することなく搬送される。複数の搬送部材として例えばローラを用いると、搬送方向における記録媒体への搬送力を一定に付与することができる。
搬送部材は、許容最大記録媒体幅の中心に対して基準位側に２個、その反対側に１個設けられた搬送ローラから構成することができる。
この構成により、搬送ローラの配置位置は記録媒体の幅方向長さがいずれの幅でも、記録媒体幅方向中心に対して右側と左側の搬送力に大きな差が生じないため、スキュー等の搬送不良を生じることがない。
【００１７】
本発明によるインクジェットプリンタは、また、印字後の記録媒体を排紙トレイへ案内、搬送する排紙機構を備えるインクジェットプリンタにおいて、排紙機構は、複数種類の記録媒体の幅方向長さの各々に対応して設けられ、記録媒体が所定の搬送方向に対して斜行することを防ぐように搬送する複数の搬送部材と、複数の搬送部材の搬送方向下流側に設けられ、幅方向長さの異なる複数種類の記録媒体の各々に対して、搬送される記録媒体の幅方向中間部の高さ位置を幅方向端部の高さ位置より低くして案内する複数の案内湾曲部材とを有することを特徴とする。
【００１８】
複数種類の記録媒体を案内・湾曲する複数の案内湾曲部材と、記録媒体が所定の搬送方向に対してある角度をなして搬送されることを防ぐように搬送する複数の搬送部材と、によってスキューが生じず更に適切な腰付けができるので、排紙トレイの正しい位置に記録媒体が積み重ねられる。
複数の案内湾曲部材のうち、記録媒体の基準位置と当接する側の端部と反対側の端部近傍に接触する案内湾曲部材は、当該案内湾曲部材と記録媒体の高さ位置が最も低い位置との間に存在する案内湾曲部材の中で高さが最大である。
【００１９】
記録媒体が搬送部材によって搬送方向に搬送され、案内湾曲部材が接触する記録媒体の一端部近傍と、案内湾曲部材が接触する他端部近傍と、記録媒体の他端部と高さ位置が最も異なる位置とで記録媒体を下方へ凸となるように湾曲されるので、腰付けを行うことができる。
【００２０】
複数の案内湾曲部材は許容最大記録媒体幅の中心と記録媒体の幅方向両端部との間に各々５本設けられたリブからなり、記録媒体の基準位置と遠い側の端部に接触する案内湾曲部材は、前記中心から幅方向端部方向へ２個目のリブ又は基準位置から最も遠くに位置するリブとすることができる。
上記構成によって、いかなる幅を有する記録媒体（少なくともＡ４サイズ、Ｂ５サイズ、はがきサイズ）に対しても湾曲が行われ、腰付けが行われる。
【００２１】
複数の搬送部材は、複数種類の記録媒体の各々の幅方向にかかる搬送が略同一になるように配置されている。記録媒体の幅方向にかかる搬送力が略同一であるため、記録媒体は所定の搬送方向に対して斜行することなく、案内湾曲部材へ搬送される。
複数の搬送部材は、許容最大記録媒体幅の中心に対して基準位置側に２個、その反対側に１個設けられた搬送ローラから構成することができる。
上記構成により、搬送ローラの配置位置は記録媒体の幅方向長さがいずれの幅でも、記録媒体幅方向中心に対して右側と左側の搬送力に大きな差が生じないため、スキュー等の搬送不良を生じることがなく、搬送路下流側に搬送される。
【００２２】
【発明の実施の形態】
以下、図面を参照して本発明の実施の形態を説明する。
図１は、本発明によるインクジェットプリンタの排紙部ペーパーガイドを示す概略斜視図である。この排紙部ペーパーガイド１０はインクジェットプリンタの排紙部に設けられ、記録媒体にスキューが発生しないように排紙トレイへ排出すると共に記録媒体に腰付けを行う。記録媒体は、記録媒体搬送方向上流からこの排紙部ペーパガイド１０へ搬送されると、まず記録媒体の搬送方向に垂直な方向（以下、幅方向という）にある端部のうち、一端部をインクジェットプリンタのフレーム等に設けられた基準位置としての基準壁１９に当てるように案内される。次に記録媒体は、幅方向に並設された複数の搬送ローラ１６，１７，１８と図示しない従動ローラ（例えば、スターローラ）に狭まれながら搬送路下流側に搬送される。その後、記録媒体は幅方向に並設され、高さの異なる複数のリブ１１ａ〜１５ａ，１１ｂ〜１５ｂの上に摺動するように案内されることによって記録媒体が湾曲されて腰付けが行われ、搬送ローラと従動ローラの狭持が解除された時点で、記録媒体は排紙トレイ上へ積み重ねられる。
【００２３】
次に、図２を参照して、リブの構成と、寸法が異なる記録媒体（ｄ，ｅ，ｆ）の腰付けについて説明する。図２は、搬送方向下流側から排紙部ペーパーガイドを見たときの各記録媒体のサイズにおける腰付けの状態と要部を概略的に示した正面図である。
リブ１１ａ〜１５ａ，１１ｂ〜１５ｂは排紙部ペーパーガイド１０と一体的に形成されると共に、搬送領域の幅方向中央に位置する中心線を中心に対称的且つ高さを異ならせて複数個形成されている。図示の例は１０個のリブが形成されている。なお、図示した例では、第１リブ１１ａ，１１ｂ、第２リブ１２ａ，１２ｂ、第３リブ１３ａ，１３ｂ、第４リブ１４ａ，１４ｂ、第５リブ１５ａ，１５ｂのように、排紙部ペーパーガイド１０の中心線に対して対称関係にあるリブの高さは同じであるが、必ずしも同じである必要はない。
【００２４】
まず、本発明に適用されるインクジェットプリンタに使用される最大許容幅（例えば、Ａ４サイズ）を有する記録媒体ｄの腰付けについて説明する。記録媒体ｄは一端が基準壁１９に当接されており、全てのリブ１１ａ〜１５ａ，１１ｂ〜１５ｂの頂部に接触或いは上方に位置して記録媒体ｄが存在している。この状態では、記録媒体ｄは排紙部ペーパーガイド１０の幅方向中心を中心にして左右対称に配置されており、中心線と交わる部分が最も高さ位置が低く、幅方向両端部が最も高さ位置が高くなっている。従って、記録媒体ｄは、少なくとも中心線に最も近く全てのリブの中で最も低い第５リブ１５ａ，１５ｂと、両端部に最も近く全てのリブの中で最も高い第１リブ１１ａ，１１ｂに接触して下向きに凸になった凹状に湾曲され腰付けが行われる。この時、記録媒体ｄの基準壁１９と反対側の端部に最も近く記録媒体ｄに接触するリブ１１ｂの高さは、そのリブの位置と最も高さ位置が低い位置との間に配置されたリブの中では最も高くなるように形成され、更にそのリブに隣接するリブの高さより高くなるように形成される。そのため、記録媒体ｄの基準壁１９と反対側の端部近傍の高さ位置が中間部より高くなって腰付けが行われる。
【００２５】
次に、中間幅（例えば、Ｂ５サイズ）を有する記録媒体ｅの腰付けについて説明する。記録媒体ｅは一端が基準壁１９に当接されており、少なくとも記録媒体ｅの他端部近傍にある第１リブを除いたリブの頂部に接触或いは上方へ位置して記録媒体ｅが存在している。この状態では、記録媒体ｅの高さ位置が最も低い部分は排紙部ペーパーガイド１０の中心線近傍にあり、少なくとも一端部近傍は第１リブ１１ａと接触し、他端部近傍は第４リブ１４ｂと接触する。記録媒体ｅの他端部に最も近く記録媒体ｅに接触する第４リブ１４ｂの高さは、第４リブの位置と最も高さ位置が低い位置との間に配置されたリブ（第５リブ１５ｂ）の中では最も高くなるように形成され、更に隣接する第３及び第５リブの高さより高くなるように形成される。そのため、記録媒体ｅの他端部近傍の高さ位置が中間部より高くなって腰付けが行われる。
【００２６】
最後に、狭幅（例えば、はがきサイズ）の記録媒体ｆの腰付けについて説明する。この記録媒体ｆは基準壁１９と排紙部ペーパーガイド１０の中心線との間に位置し、一端が基準壁１９に当接されており、中心線に対して右側にあるリブ１１ａ〜１５ａの頂部に接触或いは上方へ位置して記録媒体ｆが存在している。
【００２７】
この状態では、記録媒体ｆの高さ位置が最も低い部分は第２リブ１２ａと第３リブ１３ａとの間にあり、少なくとも一端部近傍は第１リブ１１ａと接触し、他端部近傍は第４リブ１４ａと接触する。記録媒体ｆの他端部に最も近く記録媒体ｆに接触する第４リブ１４ａの高さは、第４リブの位置と最も高さ位置が低い位置との間に配置されたリブ（第３リブ１３ａ）の中では最も高くなるように形成され、更に隣接する第３及び第５リブの高さより高くなるように形成される。そのため、記録媒体ｆの他端部近傍の高さ位置が中間部より高くなって腰付けが行われる。
【００２８】
このように、記録媒体の幅方向長さがいずれの幅でも記録媒体の他端部（基準壁１９と反対側の記録媒体端部）に最も近く記録媒体に接触するリブの高さは、そのリブの位置と記録媒体の高さ位置が最も低い位置との間に配置されたリブの中では最も高くなるように形成され、更にその高さは隣接するリブの高さより高くなるように形成される。そのため、記録媒体の他端部近傍の高さ位置が中間部より高くなって腰付けが行われる。
【００２９】
次に、図３を参照して搬送ローラの構成と、記録媒体の搬送について述べる。図３は、排紙部ペーパーガイド１０に設けられた搬送ローラ１６，１７，１８の配置と、上記図２に示した記録媒体ｄ，ｅ，ｆの配置を示した概略平面図である。ここでは搬送ローラの配置位置のみを強調して示すために、図１及び図２に示したリブを図示していない。
【００３０】
搬送ローラは、図示した例では３個設けられている。第１搬送ローラ１６と第２搬送ローラ１７は排紙部ペーパーガイド１０の中心線と基準壁１９との間に設けられ、第３搬送ローラ１８は排紙部ペーパーガイド１０の中心線に対して図中左側で且つ記録媒体ｅが搬送される簡域内に設けられる。各々の搬送ローラの記録媒体に対する圧力は均等になるように設けられている。
【００３１】
まず、狭幅の記録媒体ｆの搬送について説明する。この記録媒体ｆは、基準壁１９と排紙部ペーパーガイド１０の中心線との間に位置し、一端が基準壁１９に当接された状態で搬送方向上流側から搬送されると、第１及び第２搬送ローラ１６，１７と、対応するスターローラに狭持されながら搬送される。第１搬送ローラ１６と第２搬送ローラ１７は、この記録媒体ｆの幅方向中心に対してほぼ対称の位置に配置されるので、記録媒体ｆの幅方向中心に対して右側と左側の搬送力に差が生じず、搬送時にスキューが生じることもなく、排紙トレイの所定の位置に記録媒体ｆが積み重ねられる。
【００３２】
次に、中間幅を有する記録媒体ｅの搬送について説明する。この記録媒体ｅは、一端が基準壁１９に当接された状態で搬送方向上流側から搬送されると、第１乃至第３搬送ローラ１６〜１８と、対応するスターローラに狭持されながら搬送される。第２搬送ローラ１７は、この記録媒体幅方向中心近傍に配置され、第１及び第３搬送ローラ１６，１８は記録媒体幅方向中心に対してほぼ対称の位置に配置される。従って、これらの搬送ローラ１６〜１８の配置で、記録媒体ｅは幅方向中心に対して右側と左側の搬送力に差が生じず、搬送時にスキューが生じることもなく、排紙トレイの正しい位置に記録媒体ｅが積み重ねられる。
【００３３】
最後に、本発明のインクジェットプリンタに使用される最大許容幅を有する記録媒体ｄの搬送について説明する。記録媒体ｄの一端が基準壁１９に当接された状態で搬送方向上流側から搬送されると、記録媒体ｄは第１乃至第３搬送ローラ１６〜１８と、対応するスターローラに狭持されながら搬送される。この記録媒体ｄの幅方向中心と一致する排紙部ペーパーガイド１０の中心線に対して、搬送ローラは非対称に配置されているが、発明者による実験の結果、排紙部ペーパーガイド１０の中心線に対して図中右側にある第１及び第２搬送ローラ１６，１７の搬送力と図中左側にある第３搬送ローラ１８の搬送力の差は、スキュー等の不都合が生じない程度に少ないことがわかった。
このように、図３に示す搬送ローラの配置位置は記録媒体の幅方向長さがいずれの幅でも、記録媒体幅方向中心に対して右側と左側の搬送力に大きな差が生じないため、スキュー等の搬送不良を生じることがない。
【００３４】
以上説明したように、高さの異なる複数のリブと、記録媒体幅方向中心に対して右側と左側の搬送力がほぼ同じになるように配置した搬送ローラとによって、スキューが生じず更に適切な腰付けができるので、所望の位置に記録媒体が積み重ねられる。
【００３５】
【発明の効果】
本発明によると、サイズの異なる記録媒体に対して適切な腰付けを行うことができ、直前に印刷された記録媒体との接触による印字擦れを防止することができる。また、スキューが生じずに正しい位置に記録媒体を積み重ねることができる。
【図面の簡単な説明】
【図１】本発明によるインクジェットプリンタの排紙部ペーパーガイドを示す概略斜視図。
【図２】搬送方向下流側から排紙部ペーパーガイドを見たときの各記録媒体のサイズにおける腰付けの状態と要部を概略的に示した正面図。
【図３】排紙部ペーパーガイドに設けられた搬送ローラの配置と、記録媒体の配置を示した概略平面図。
【図４】従来の排紙部ペーパーガイドを示す正面図。
【符号の説明】
１０…排紙部ペーパーガイド、１１ａ〜１５ａ，１１ｂ〜１５ｂ…リブ、１６〜１８…搬送ローラ、１９…基準壁、５０…排紙部ペーパーガイド、５１〜５８…リブ、５９…基準壁
【図１】
0003746665.tif 000002
【図２】
0003746665.tif 000003
【図３】
0003746665.tif 000004
【図４】
0003746665.tif 000005